(57)【要約】【課題】各画素内の有機ＥＬ素子を流れる電流を、効率よくかつ迅速に、目標電流に近づけること。【解決手段】本発明の有機ＥＬ表示装置は、各画素２１内の電流制御用薄膜トランジスタのゲート電極に電圧を印加する比較増幅回路２と、各画素２１内の有機ＥＬ素子を流れる電流に比例した電圧を比較増幅回路２にフィードバックするフィードバック回路５と、比較増幅回路２が各画素２１に印加する電圧のスルーレートを切り替えるスルーレート切替回路１とを備えている。比較増幅回路２は、目標電圧（画像信号電圧）と、フィードバック回路５からフィードバックされる各画素２１内の有機ＥＬ素子を流れる電流に比例した電圧とに基づいて、各画素２１に電圧を印加する。スルーレート切替回路１は、目標電圧（画像信号電圧）と、フィードバック回路５からフィードバックされる各画素２１内の有機ＥＬ素子を流れる電流に比例した電圧とに基づいて、比較増幅回路２が各画素２１に印加する電圧のスルーレートを切り替える。【選択図】図１
2008015178.tif 000002
【特許請求の範囲】
【請求項１】
複数の画素がマトリックス状に配置され、前記複数の画素の中から走査信号に従って画素が選択され、前記選択された画素が画像信号に従って発光させられる有機ＥＬ表示装置であって、
各画素に接続され、各画素に電圧を印加する比較増幅回路と、
比較増幅回路と各画素に接続され、各画素内の有機ＥＬ素子を流れる電流に比例した電圧を比較増幅回路にフィードバックするフィードバック回路と、
フィードバック回路と比較増幅回路に接続され、比較増幅回路が各画素に印加する電圧のスルーレートを切り替えるスルーレート切替回路とを備え、
各画素は、発光素子である有機ＥＬ素子と、前記有機ＥＬ素子に流れる電流を制御する電流制御用薄膜トランジスタと、前記走査信号に従って比較増幅回路の出力電圧の印加／非印加を切り替える第１の画素選択用薄膜トランジスタと、前記走査信号に従ってフィードバック回路から前記有機ＥＬ素子へ流れる電流の伝送／非伝送を切り替える第２の画素選択用薄膜トランジスタと、前記走査信号の反転信号に従って電源から前記有機ＥＬ素子へ流れる電流の伝送／非伝送を切り替える第３の画素選択用薄膜トランジスタと、前記第１の画素選択用薄膜トランジスタを介して印加された比較増幅回路の出力電圧を保持する電圧保持用コンデンサとからなり、
比較増幅回路は、目標電圧と、フィードバック回路からフィードバックされる各画素内の有機ＥＬ素子を流れる電流に比例した電圧とに基づいて、各画素内の電流制御用薄膜トランジスタのゲート電極に電圧を印加し、
スルーレート切替回路は、目標電圧と、フィードバック回路からフィードバックされる各画素内の有機ＥＬ素子を流れる電流に比例した電圧とに基づいて、比較増幅回路が各画素に印加する電圧のスルーレートを切り替えることを特徴とする有機ＥＬ表示装置。
【請求項２】
スルーレート切替回路は、フィードバック回路からフィードバックされた各画素内の有機ＥＬ素子を流れる電流に比例した電圧の値と目標電圧の値との差が、所定値以内にある場合に、比較増幅回路が各画素に印加する電圧のスルーレートを低下させることを特徴とする請求項１記載の有機ＥＬ表示装置。
【請求項３】
スルーレート切替回路は、比較増幅回路の出力電流を変化させることによって、比較増幅回路が各画素に印加する電圧のスルーレートを切り替えることを特徴とする請求項１記載の有機ＥＬ表示装置。
【請求項４】
比較増幅回路は、フィードバック回路からフィードバックされた各画素内の有機ＥＬ素子を流れる電流に比例した電圧の値と目標電圧の値との差が、所定値以内にある場合に、電流の供給を停止する補助定電流源を有することを特徴とする請求項３記載の有機ＥＬ表示装置。
【請求項５】
スルーレート切替回路は、比較増幅回路の位相補償容量を変化させることによって、比較増幅回路が各画素に印加する電圧のスルーレートを切り替えることを特徴とする請求項１記載の有機ＥＬ表示装置。
【請求項６】
比較増幅回路は、フィードバック回路からフィードバックされた各画素内の有機ＥＬ素子を流れる電流に比例した電圧の値と目標電圧の値との差が、所定値以内にある場合に、比較増幅回路の位相補償容量を増加させる補助コンデンサを有することを特徴とする請求項５記載の有機ＥＬ表示装置。
【請求項７】
フィードバック回路は、カレントミラー回路と抵抗からなることを特徴とする請求項１記載の有機ＥＬ表示装置。
【請求項８】
比較増幅回路とスルーレート切替回路には、目標電圧を入力する目標電圧入力部が接続され、
スルーレート切替回路は、フィードバック回路に接続される一対のコンパレータと、当該一対のコンパレータに接続されたＯＲ回路とを有し、
前記目標電圧入力部と一方のコンパレータとの間には、正電極が一方のコンパレータ側に配置された第一電源が設けられ、
前記目標電圧入力部と他方のコンパレータとの間には、負電極が他方のコンパレータ側に配置された第二電源が設けられることを特徴とする請求項１記載の有機ＥＬ表示装置。
【請求項９】
一方のコンパレータに入力される第一電源の電圧は、他方のコンパレータに入力される第二電源の電圧と等しいことを特徴とする請求項８記載の有機ＥＬ表示装置。
【請求項１０】
請求項１記載の有機ＥＬ表示装置を駆動する有機ＥＬ駆動方法であって、
画素に接続された比較増幅回路により、画素内の電流制御用薄膜トランジスタのゲート電極に電圧を印加する電圧印加工程と、
画素に接続された比較増幅回路と、比較増幅回路に接続されたスルーレート切替回路に、フィードバック回路を介して画素内の有機ＥＬ素子を流れる電流に比例した電圧をフィードバックするフィードバック工程と、
フィードバック工程によってフィードバックされた画素内の有機ＥＬ素子を流れる電流に比例した電圧と目標電圧とに基づいて、スルーレート切替回路により、比較増幅回路が画素に印加する電圧のスルーレートを切り替えるスルーレート切替工程と、
比較増幅回路により、切り替わったスルーレートで画素に電圧を印加する切替電圧印加工程と、
を備えたことを特徴とする有機ＥＬ駆動方法。
【発明の詳細な説明】
【技術分野】
【０００１】
本発明は、自己発光する有機ＥＬ素子を画素に用いてこれをマトリクス状に配置して表示を行う有機ＥＬ表示装置及び当該有機ＥＬ表示装置を駆動する有機ＥＬ駆動方法に係り、特に、画素ごとの輝度ばらつき、および長時間発光に伴う輝度低下を抑制する機能を備えた有機ＥＬ表示装置及び当該有機ＥＬ表示装置を駆動する有機ＥＬ駆動方法に関する。
【背景技術】
【０００２】
有機ＥＬ素子を利用した表示装置は、有機ＥＬ素子が自己発光素子であることからバックライトが不要であり低消費電力化に向く点でＬＣＤ（ 液晶表示装置）にない特徴がある。また、高速応答、広視野角の特性を有し、さらに素子自体が固体であるためフレキシブルな用途への応用が可能などの利点もある。
【０００３】
一般に有機ＥＬ素子の輝度は、その素子の電流対電圧特性にかかわらず、その素子に流れる電流値に比例する。したがって、画素ごとの輝度ばらつきを抑制するためには、各画素の有機ＥＬ素子に印加される電圧を均一にするのではなくて、各画素の有機ＥＬ素子を流れる電流を均一にする必要がある。また、同様に、長時間発光に伴う輝度低下を抑制するためには、各画素の有機ＥＬ素子に印加される電圧を一定にするのではなくて、各画素の有機ＥＬ素子を流れる電流を一定にする必要がある。
【０００４】
図１３に示すように、従来から、複数の画素２１を駆動する有機ＥＬ表示装置用駆動回路は、各画素２１に接続され、各画素２１内の電流制御用薄膜トランジスタのゲート電極に電圧を印加する比較増幅回路２と、比較増幅回路２と各画素２１に接続され、各画素２１内の有機ＥＬ素子を流れる電流を検出し、電圧値に変換して比較増幅回路２にフィードバックするフィードバック回路５とを備えている。なお、各画素２１は走査信号発生回路２２に接続されており、この走査信号発生回路２２は、比較増幅回路２によって電圧が印加される画素２１を切り替える。
【０００５】
このような比較増幅回路２は、目標電圧（画像信号電圧）と、フィードバック回路からフィードバックされる各画素２１内の有機ＥＬ素子を流れる電流に比例した電圧（フィードバック電圧）とに基づいて、各画素２１内の電流制御用薄膜トランジスタのゲート電極に電圧を印加している。
【発明の開示】
【発明が解決しようとする課題】
【０００６】
しかしながら、図１３に示すような有機ＥＬ表示装置用駆動回路によると、図１４に示すように、フィードバック電圧が振動する現象が生じる。フィードバック電圧は各画素２１内の有機ＥＬ素子を流れる電流に比例しているから、この現象はすなわち各画素２１内の有機ＥＬ素子を流れる電流が振動することを示している。この振動が生じると、前記有機ＥＬ素子を流れる電流を、所定の画素選択時間内に目標電流値に設定することが困難になるため、各画素２１を画像信号によって指定された通りの輝度で発光させることが困難になる。
【０００７】
このような振動現象が生じる原因は、一般的な比較増幅回路２の出力電圧のスルーレートが大きいために、比較増幅回路２の出力電圧の単位時間当たりの電圧変化が、上述したフィードバック電圧の単位時間当たりの電圧変化よりも大きいことにある。
【０００８】
本発明は、このような点を考慮してなされたものであり、各画素内の有機ＥＬ素子を流れる電流を、効率よくかつ迅速に、目標電流に近づけることができる有機ＥＬ表示装置を提供することを目的とする。
【課題を解決するための手段】
【０００９】
本発明は、複数の画素がマトリックス状に配置され、前記複数の画素の中から走査信号に従って画素が選択され、前記選択された画素が画像信号に従って発光させられる有機ＥＬ表示装置であって、各画素に接続され、各画素に電圧を印加する比較増幅回路と、比較増幅回路と各画素に接続され、各画素内の有機ＥＬ素子を流れる電流に比例した電圧を比較増幅回路にフィードバックするフィードバック回路と、フィードバック回路と比較増幅回路に接続され、比較増幅回路が各画素に印加する電圧のスルーレートを切り替えるスルーレート切替回路とを備え、各画素は、発光素子である有機ＥＬ素子と、前記有機ＥＬ素子に流れる電流を制御する電流制御用薄膜トランジスタと、前記走査信号に従って比較増幅回路の出力電圧の印加／非印加を切り替える第１の画素選択用薄膜トランジスタと、前記走査信号に従ってフィードバック回路から前記有機ＥＬ素子へ流れる電流の伝送／非伝送を切り替える第２の画素選択用薄膜トランジスタと、前記走査信号の反転信号に従って電源から前記有機ＥＬ素子へ流れる電流の伝送／非伝送を切り替える第３の画素選択用薄膜トランジスタと、前記第１の画素選択用薄膜トランジスタを介して印加された比較増幅回路の出力電圧を保持する電圧保持用コンデンサとからなり、比較増幅回路は、目標電圧と、フィードバック回路からフィードバックされる各画素内の有機ＥＬ素子を流れる電流に比例した電圧とに基づいて、各画素内の電流制御用薄膜トランジスタのゲート電極に電圧を印加し、スルーレート切替回路は、目標電圧と、フィードバック回路からフィードバックされる各画素内の有機ＥＬ素子を流れる電流に比例した電圧とに基づいて、比較増幅回路が各画素に印加する電圧のスルーレートを切り替えることを特徴とする有機ＥＬ表示装置である。
【００１０】
このような構成により、各画素内の有機ＥＬ素子を流れる電流を、効率よくかつ迅速に、目標電流に近づけることができる。
【００１１】
本発明は、スルーレート切替回路が、フィードバック回路からフィードバックされた各画素内の有機ＥＬ素子を流れる電流に比例した電圧の値と目標電圧の値との差が、所定値以内にある場合に、比較増幅回路が各画素に印加する電圧のスルーレートを低下させることを特徴とする有機ＥＬ表示装置である。
【００１２】
このような構成により、各画素内の有機ＥＬ素子を流れる電流を、効率よくかつ迅速に、目標電流に近づけることができる。
【００１３】
本発明は、スルーレート切替回路が、比較増幅回路の出力電流を変化させることによって、比較増幅回路が各画素に印加する電圧のスルーレートを切り替えることを特徴とする有機ＥＬ表示装置である。
【００１４】
本発明は、比較増幅回路が、フィードバック回路からフィードバックされた各画素内の有機ＥＬ素子を流れる電流に比例した電圧の値と目標電圧の値との差が、所定値以内にある場合に、電流の供給を停止する補助定電流源を有することを特徴とする有機ＥＬ表示装置である。
【００１５】
本発明は、スルーレート切替回路が、比較増幅回路の位相補償容量を変化させることによって、比較増幅回路が各画素に印加する電圧のスルーレートを切り替えることを特徴とする有機ＥＬ表示装置である。
【００１６】
本発明は、比較増幅回路が、フィードバック回路からフィードバックされた各画素内の有機ＥＬ素子を流れる電流に比例した電圧の値と目標電圧の値との差が、所定値以内にある場合に、比較増幅回路の位相補償容量を増加させる補助コンデンサを有することを特徴とする有機ＥＬ表示装置である。
【００１７】
本発明は、フィードバック回路が、カレントミラー回路と抵抗からなることを特徴とする有機ＥＬ表示装置である。
【００１８】
本発明は、比較増幅回路とスルーレート切替回路には、目標電圧を入力する目標電圧入力部が接続され、スルーレート切替回路が、フィードバック回路に接続される一対のコンパレータと、当該一対のコンパレータに接続されたＯＲ回路とを有し、前記目標電圧入力部と一方のコンパレータとの間には、正電極が一方のコンパレータ側に配置された第一電源が設けられ、前記目標電圧入力部と他方のコンパレータとの間には、負電極が他方のコンパレータ側に配置された第二電源が設けられることを特徴とする有機ＥＬ表示装置である。
【００１９】
本発明は、一方のコンパレータに入力される第一電源の電圧が、他方のコンパレータに入力される第二電源の電圧と等しいことを特徴とする有機ＥＬ表示装置である。
【００２０】
本発明は、上述した有機ＥＬ表示装置を駆動する有機ＥＬ駆動方法において、画素に接続された比較増幅回路により、各画素内の電流制御用薄膜トランジスタのゲート電極に電圧を印加する電圧印加工程と、画素に接続された比較増幅回路と、比較増幅回路に接続されたスルーレート切替回路に、フィードバック回路を介して各画素内の有機ＥＬ素子を流れる電流に比例した電圧をフィードバックするフィードバック工程と、フィードバック工程によってフィードバックされた各画素内の有機ＥＬ素子を流れる電流に比例した電圧と目標電圧とに基づいて、スルーレート切替回路により、比較増幅回路が画素に印加する電圧のスルーレートを切り替えるスルーレート切替工程と、比較増幅回路により、切り替わったスルーレートで画素に電圧を印加する切替電圧印加工程と、を備えたことを特徴とする有機ＥＬ駆動方法である。
【００２１】
このような構成により、各画素内の有機ＥＬ素子を流れる電流を、効率よくかつ迅速に、目標電流に近づけることができる。
【発明の効果】
【００２２】
本発明によれば、目標電圧（画像信号電圧）と、フィードバック回路からフィードバックされる各画素内の有機ＥＬ素子を流れる電流に比例した電圧とに基づいて、比較増幅回路が各画素に印加する電圧のスルーレートを切り替えるスルーレート切替回路を用いることによって、各画素内の有機ＥＬ素子を流れる電流を、効率よくかつ迅速に、目標電流に近づけることができる。
【発明を実施するための最良の形態】
【００２３】
第１の実施の形態
以下、本発明に係る有機ＥＬ表示装置の第１の実施の形態について、図面を参照して説明する。ここで、図１乃至図９は本発明の第１の実施の形態を示す図である。
【００２４】
図１に示すように、本発明は、複数の画素２１がマトリックス状に配置して表示を行う有機ＥＬ表示装置である。
【００２５】
このような画素２１は各々、図１乃至図３に示すように、走査信号発生回路２２に接続され、当該走査信号発生回路２２からの走査信号に従って、複数の画素２１の中から特定の画素２１が選択され、選択された画素２１が画像信号に従って発光させられる。
【００２６】
また、図１０に示すように、各画素２１は、発光素子である有機ＥＬ素子ＯＬＥＤと、有機ＥＬ素子ＯＬＥＤに流れる電流を制御する電流制御用薄膜トランジスタＴと、走査信号発生回路２２からの走査信号に従って、後述する比較増幅回路２の出力電圧の印加／非印加を切り替える第１の画素選択用薄膜トランジスタＴ１と、走査信号発生回路２２からの走査信号に従って、後述するフィードバック回路５から有機ＥＬ素子へ流れる電流の伝送／非伝送を切り替える第２の画素選択用薄膜トランジスタＴ２と、走査信号発生回路２２からの走査信号の反転信号に従って電源ＶＤＤから有機ＥＬ素子ＯＬＥＤへ流れる電流の伝送／非伝送を切り替える第３の画素選択用薄膜トランジスタＴ３と、第１の画素選択用薄膜トランジスタＴ１を介して印加された比較増幅回路２の出力電圧を保持する電圧保持用コンデンサＣＳとからなっている。
【００２７】
また、図１に示すように、有機ＥＬ表示装置は、目標電圧（画像信号電圧）を入力する目標電圧入力部９と、各画素２１と目標電圧入力部９に接続され、各画素２１内の電流制御用薄膜トランジスタＴのゲート電極に電圧を印加する比較増幅回路２と、比較増幅回路２と各画素２１に接続され、各画素２１内の有機ＥＬ素子を流れる電流に比例した電圧を比較増幅回路２にフィードバックするＰＮＰトランジスタ６ｐを用いたカレントミラー回路６を有するフィードバック回路５と、目標電圧入力部９、カレントミラー回路６及び比較増幅回路２に接続され、比較増幅回路２が各画素２１に印加する電圧のスルーレートを切り替えるスルーレート切替回路１とを備えている。なお、フィードバック回路５は、カレントミラー回路６と抵抗６ｒからなっている。また、このような構成において、電流は、カレントミラー回路６から画素２１に向かって流れる。
【００２８】
このうち、比較増幅回路２は、図１において、目標電圧（画像信号電圧）と、カレントミラー回路６からフィードバックされる各画素２１内の有機ＥＬ素子を流れる電流に比例した電圧（フィードバック電圧）とに基づいて、各画素２１内の有機ＥＬ素子を流れる電流を目標電流に近づけるよう、各画素２１内の電流制御用薄膜トランジスタＴのゲート電極に電圧を印加する（図１０参照）。
【００２９】
また、図２に示すように、スルーレート切替回路１は、カレントミラー回路６に接続される一対のコンパレータ１１，１２と、当該一対のコンパレータ１１，１２に接続されたＯＲ回路１３とを有している。また、図２に示すように、目標電圧入力部９と一方のコンパレータ１１との間には、正電極が一方のコンパレータ１１側に配置された第一電源１６が設けられ、目標電圧入力部９と他方のコンパレータ１２との間には、負電極が他方のコンパレータ１２側に配置された第二電源１７が設けられている。なお、一方のコンパレータ１１に入力される第一電源１６の電圧αは、他方のコンパレータ１２に入力される第二電源１７の電圧αと等しくなっている。
【００３０】
このようなスルーレート切替回路１は、図１において、目標電圧（画像信号電圧）と、カレントミラー回路６からフィードバックされる各画素２１内の有機ＥＬ素子を流れる電流に比例した電圧（フィードバック電圧）とに基づいて、比較増幅回路２が各画素２１に印加する電圧のスルーレートを切り替える。すなわち、スルーレート切替回路１は、カレントミラー回路６からフィードバックされた各画素２１内の有機ＥＬ素子を流れる電流に比例した電圧（フィードバック電圧）の値と目標電圧（画像信号電圧）の値との差が、所定値α以内にある場合に（図５参照）、比較増幅回路２の補助定電流源３５が電流の供給を停止することによって、各画素２１に印加する電圧のスルーレートを低下させる（遅くする）。
【００３１】
具体的には、図３及び図４に示すように、比較増幅回路２は、カレントミラー回路６からフィードバックされた各画素２１内の有機ＥＬ素子を流れる電流に比例した電圧（フィードバック電圧）の値と目標電圧（画像信号電圧）の値との差が、所定値α以内にある場合に、スイッチ４４が切られ、電流の供給を停止する補助定電流源３５を有している。
【００３２】
そして、スルーレート切替回路１は、比較増幅回路２のスイッチ４４を入れて補助定電流源３５に電流を供給させたり、スイッチ４４を切って補助定電流源３５からの電流を停止させたりすることによって、比較増幅回路２の出力電流を変化させ、比較増幅回路２が各画素２１に印加する電圧のスルーレートを切り替える。
【００３３】
また、図４に示すように、比較増幅回路２は、電源ＶＣＣに接続され、ＰＮＰトランジスタ３６ｐを用いたカレントミラー回路３６と、当該カレントミラー回路３６に接続されるとともに、＋端子５１（図１、図２及び図３参照）に接続されたＮＰＮトランジスタ３８ｎと、当該カレントミラー回路３６に接続されるとともに、−端子５２（図１、図２及び図３参照）に接続されたＮＰＮトランジスタ３７ｎとを有している。
【００３４】
また、図４に示すように、電源ＶＣＣには、ＰＮＰトランジスタ４１ｐが接続されている。また、当該ＰＮＰトランジスタ４１ｐには、＋端子５１に接続されたＮＰＮトランジスタ３８ｎと、出力部４９と、出力部４９に接続されたコンデンサ４２（容量Ｃ）と、グランドＶＳＳに接続された第二定電流源３２が接続されている。なお、第二定電流源３２には、コンデンサと、出力部４９が接続されている。また、この出力部４９は、各画素２１に接続されている（図１乃至図３参照）。
【００３５】
また、図１乃至図３に示すように、＋端子５１は、目標電圧入力部９に接続され、−端子５２は、カレントミラー回路６に接続されている。
【００３６】
また、図４に示すように、＋端子５１に接続されたＮＰＮトランジスタ３８ｎと、−端子５２に接続されたＮＰＮトランジスタ３７ｎは、グランドＶＳＳに接続された第一定電流源３１と、グランドＶＳＳに接続されるとともに、スイッチ４４によってＯＮ／ＯＦＦ自在となった補助定電流源３５に接続されている。
【００３７】
また、図１乃至図３に示すように、各画素２１は走査信号発生回路２２に接続されている。そして、この走査信号発生回路２２は、比較増幅回路２によって電圧が印加される画素２１を切り替える。
【００３８】
次に、このような構成からなる本実施の形態の作用について述べる。
【００３９】
最初に、一般的な比較増幅回路２を示した図７を参照として、スルーレートの導き方について説明する。図７に示す比較増幅回路２は、第二定電流源３２を有していない以外は、図４に示した本実施の形態における比較増幅回路２と、略同一の構成になっている。以下、図７において、＋端子５１から入力される電圧Ｖｂｅ＋が−端子５２から入力される電圧Ｖｂｅ−よりも大きくなる場合を用いて説明する。
【００４０】
＋端子５１から入力される電圧Ｖｂｅ＋が−端子５２から入力される電圧Ｖｂｅ−よりも大きくなると、＋端子５１に接続されたＮＰＮトランジスタ３８ｎにおける電圧Ｖｂｅ＋が−端子５２に接続されたＮＰＮトランジスタ３７ｎにおける電圧Ｖｂｅ−よりも大きくなり、第一定電流源３１によって流れる電流Ｉ１の大部分は、コンデンサ４２から供給される。そして、コンデンサ４２からの電流は、Ｖｂｅ＋＝Ｖｂｅ−となるまで流れ続ける。この間、コンデンサ４２において変化する電荷ΔＱは、
ΔＱ＝Ｃ・ΔＶ＝Ｉ１・ｔ    （式１）
と示される。ここで、Ｃはコンデンサ４２の容量を示し、ｔはＶｂｅ＋＝Ｖｂｅ−となるまでに要する時間を示し、ΔＶは、Ｖｂｅ＋＝Ｖｂｅ−となるまでの間、コンデンサ４２において変化する電圧を示している。上述した（式１）より、スルーレート（以下、スルーレートの値をＳＲとして示す）は、
ＳＲ＝ΔＱ／（Ｃ・ｔ）＝ΔＶ／ｔ＝Ｉ１／Ｃ    （式２）
と示される。
【００４１】
従って、図４に示す本実施の形態の比較増幅回路２におけるスルーレートは、補助定電流源３５に接続されたスイッチ４４が入っている場合には、
ＳＲ＝（Ｉ１＋Ｉ３）／Ｃ    （式３）
となり、補助定電流源３５に接続されたスイッチ４４が入っていない場合には、
ＳＲ＝Ｉ１／Ｃ    （式２）
となる。
【００４２】
次に、本実施の形態による有機ＥＬ表示装置の作用効果について説明する。
【００４３】
まず、画素２１に接続された比較増幅回路２は、目標電圧入力部９から入力される目標電圧（画像信号電圧）と、後述のようにカレントミラー回路６からフィードバックされる各画素２１内の有機ＥＬ素子を流れる電流に比例した電圧とに基づいて、各画素２１内の電流制御用薄膜トランジスタのゲート電極に電圧を印加する（電圧印加工程８１）（図３及び図８参照）。なお、このとき、比較増幅回路２の補助定電流源３５に接続されたスイッチ４４は入っており、比較増幅回路２におけるスルーレートの値ＳＲはＳＲ＝（Ｉ１＋Ｉ３）／Ｃ（式３）となっている（図４参照）。
【００４４】
次に、各画素２１内の有機ＥＬ素子を流れる電流に比例した電圧の値が、カレントミラー回路６を介して、画素２１に接続された比較増幅回路２と、比較増幅回路２に接続されたスルーレート切替回路１に、フィードバックされる（フィードバック工程８２）（図３及び図８参照）。
【００４５】
次に、スルーレート切替回路１は、フィードバックされた各画素２１内の有機ＥＬ素子を流れる電流に比例した電圧（フィードバック電圧）の値と目標電圧（画像信号電圧）の値との差が、所定値αの範囲内にあるか否かを判断する（判断工程８５）（図３、図５及び図８参照）。
【００４６】
具体的には、図２に示すように、一方のコンパレータ１１には、カレントミラー回路６が接続されるとともに、目標電圧入力部９との間に、正電極が一方のコンパレータ１１側に配置された電圧α（Ｖ）の第一電源１６が設けられているため、一方のコンパレータ１１には、画素２１内の有機ＥＬ素子を流れる電流に比例した電圧（フィードバック電圧）の値と、目標電圧（画像信号電圧）に所定値αを加えた値（目標電圧＋α）が入力される。
【００４７】
他方、図２に示すように、他方のコンパレータ１２には、カレントミラー回路６が接続されるとともに、目標電圧入力部９との間に、負電極が他方のコンパレータ１２側に配置された電圧α（Ｖ）の第二電源１７が設けられているため、他方のコンパレータ１２には、画素２１内の有機ＥＬ素子を流れる電流に比例した電圧（フィードバック電圧）の値と、目標電圧（画像信号電圧）から所定値αを引いた値（目標電圧−α）が入力される。
【００４８】
そして、図２に示すように、これらの一対のコンパレータ１１，１２はＯＲ回路１３に接続されているので、当該ＯＲ回路１３は、フィードバックされた画素２１内の有機ＥＬ素子を流れる電流に比例した電圧（フィードバック電圧）の値と目標電圧（画像信号電圧）の値との差が、所定値αの範囲内にあるか否かを判断することができる。
【００４９】
このような判断工程８５において、スルーレート切替回路１のＯＲ回路１３が、フィードバックされた画素２１内の有機ＥＬ素子を流れる電流に比例した電圧（フィードバック電圧）の値と目標電圧（画像信号電圧）の値との差が所定値αの範囲内にあると判断するまで、上述した電圧印加工程８１、フィードバック工程８２及び判断工程８５が順次行われる（図５及び図８参照）。
【００５０】
そして、判断工程８５において、スルーレート切替回路１のＯＲ回路１３が、フィードバックされた画素２１内の有機ＥＬ素子を流れる電流に比例した電圧（フィードバック電圧）の値と目標電圧（画像信号電圧）の値との差が所定値αの範囲内にあると判断すると、比較増幅回路２は、当該ＯＲ回路１３からの信号に基づいて、画素２１に印加する電圧のスルーレートを切り替える（スルーレート切替工程９０）（図２及び図８参照）。
【００５１】
具体的には、比較増幅回路２の補助定電流源３５に接続されたスイッチ４４を切り、補助定電流源３５からの電流の供給を停止することによって、ＳＲ＝（Ｉ１＋Ｉ３）／Ｃ（式３）であったスルーレートを、ＳＲ＝Ｉ１／Ｃ（式２）に切り替えて、遅くする（図３、図４、図６及び図８参照）。
【００５２】
次に、比較増幅回路２は、このように遅くなったスルーレート（ＳＲ＝Ｉ１／Ｃ）で、目標電圧入力部９から入力される目標電圧と、後述のようにカレントミラー回路６からフィードバックされる各画素２１内の有機ＥＬ素子を流れる電流に比例した電圧とに基づいて、各画素２１内の有機ＥＬ素子を流れる電流が目標電流値に近づけるよう、各画素２１に電圧を印加する（低速電圧印加工程（切替電圧印加工程）９１）（図３、図６及び図８参照）。
【００５３】
次に、遅くなったスルーレート（ＳＲ＝Ｉ１／Ｃ）によって画素２１内の有機ＥＬ素子を流れる電流に比例した電圧の値が、カレントミラー回路６を介して、画素２１に接続された比較増幅回路２と、比較増幅回路２に接続されたスルーレート切替回路１に、フィードバックされる（低速フィードバック工程（切替フィードバック工程）９２）（図３、図６及び図８参照）。
【００５４】
後は、各画素２１内の有機ＥＬ素子を流れる電流が目標電流値になるまで、上述した低速電圧印加工程９１及び低速フィードバック工程９２を繰り返し行う（図３及び図８参照）。
【００５５】
このように、比較増幅回路２が、遅くなったスルーレート（ＳＲ＝Ｉ１／Ｃ）によって、目標電圧入力部９から入力される目標電圧（画像信号電圧）と、カレントミラー回路６からフィードバックされる各画素２１内の有機ＥＬ素子を流れる電流に比例した電圧（フィードバック電圧）とに基づいて、各画素２１内の有機ＥＬ素子を流れる電流が目標電流値に近づけるよう、各画素２１に電圧を印加する。このため、各画素２１内の有機ＥＬ素子を流れる電流を、効率よくかつ迅速に、目標電流に近づけることができる。
【００５６】
なお、上述した本実施の形態では、フィードバック回路５に、ＰＮＰトランジスタ６ｐを有するカレントミラー回路６を用いて説明したが、これに限ることなく、図９に示すように、フィードバック回路５に、ＮＰＮトランジスタ６ｎを有するカレントミラー回路６ａを用いてもよい。このとき、電流は、ＰＮＰトランジスタ６ｐを有するカレントミラー回路６を用いた場合とは逆方向、すなわち、画素２１側から当該カレントミラー回路６ａに向かって流れる。
【００５７】
第２の実施の形態
次に図１１及び図１２により本発明の第２の実施の形態について説明する。図１１及び図１２に示す第２の実施の形態は、比較増幅回路２の出力電流を変化させる代わりに、比較増幅回路２の位相補償容量を変化させることによって、比較増幅回路２が各画素２１に印加する電圧のスルーレートを切り替えるものである。
【００５８】
すなわち、カレントミラー回路６からフィードバックされた各画素２１内の有機ＥＬ素子を流れる電流に比例した電圧（フィードバック電圧）の値と目標電圧（画像信号電圧）の値との差が、所定値α以内にある場合に、電流の供給を停止する補助定電流源３５を有する比較増幅回路２を用いる（図３参照）代わりに、図１１に示すように、カレントミラー回路６からフィードバックされた各画素２１内の有機ＥＬ素子を流れる電流に比例した電圧（フィードバック電圧）の値と目標電圧（画像信号電圧）の値との差が、所定値α以内にある場合に、位相補償容量を増加させる補助コンデンサ４５を有する比較増幅回路２を用いたものである。
【００５９】
その他の構成は、図１乃至図８に示す第１の実施の形態と略同一である。また、図１１及び図１２に示す第２の実施の形態において、図１乃至図８に示す第１の実施の形態と同一部分には同一符号を付して詳細な説明は省略する。
【００６０】
具体的には、図１２に示すように、比較増幅回路２は、電源ＶＣＣに接続され、ＰＮＰトランジスタ３６ｐを用いたカレントミラー回路３６と、当該カレントミラー回路３６に接続されるとともに、＋端子５１に接続されたＮＰＮトランジスタ３８ｎと、当該カレントミラー回路３６に接続されるとともに、−端子５２に接続されたＮＰＮトランジスタ３７ｎとを有している。
【００６１】
また、図１２に示すように、電源ＶＣＣには、ＰＮＰトランジスタ４１ｐが接続されている。また、当該ＰＮＰトランジスタ４１ｐには、＋端子５１に接続されたＮＰＮトランジスタ３８ｎと、出力部４９と、出力部４９に接続された第一コンデンサ４８（容量Ｃ１）と、出力部４９に接続され、スイッチ４６によってＯＮ／ＯＦＦ自在となった補助コンデンサ４５（容量Ｃ２）と、グランドＶＳＳに接続された第二定電流源３２が接続されている。なお、第二定電流源３２には、第一コンデンサ４８（容量Ｃ１）と、スイッチ４６によってＯＮ／ＯＦＦ自在となった補助コンデンサ４５（容量Ｃ２）と、出力部４９が接続されている。また、この出力部４９は、各画素２１に接続されている（図１１参照）。
【００６２】
また、図１１に示すように、＋端子５１は、目標電圧入力部９に接続され、−端子５２は、カレントミラー回路６に接続されている。
【００６３】
また、図１２に示すように、＋端子５１に接続されたＮＰＮトランジスタ３８ｎと、−端子５２に接続されたＮＰＮトランジスタ３７ｎは、グランドＶＳＳに接続された第一定電流源３１に接続されている。
【００６４】
このような図１２に示す本実施の形態の比較増幅回路２におけるスルーレートは、補助コンデンサ４５に接続されたスイッチ４６が入っていない場合には、
ＳＲ＝Ｉ１／Ｃ１    （式４）
となり、補助コンデンサ４５に接続されたスイッチ４６が入っている場合には、
ＳＲ＝Ｉ１／（Ｃ１＋Ｃ２）    （式５）
となる。
【００６５】
次に、本実施の形態による有機ＥＬ表示装置の作用効果について説明する。
【００６６】
まず、画素２１に接続された比較増幅回路２は、目標電圧入力部９から入力される目標電圧（画像信号電圧）と、後述のようにカレントミラー回路６からフィードバックされる画素２１内の有機ＥＬ素子を流れる電流に比例した電圧とに基づいて、画素２１内の電流制御用薄膜トランジスタのゲート電極に電圧を印加する（電圧印加工程８１）（図８及び図１１参照）。なお、このとき、比較増幅回路２の補助コンデンサ４５に接続されたスイッチ４６は入っておらず、比較増幅回路２におけるスルーレートの値ＳＲは、ＳＲ＝Ｉ１／Ｃ１（式４）となっている（図１２参照）。
【００６７】
次に、画素２１内の有機ＥＬ素子を流れる電流に比例した電圧（フィードバック電圧）の値が、カレントミラー回路６を介して、画素２１に接続された比較増幅回路２と、比較増幅回路２に接続されたスルーレート切替回路１に、フィードバックされる（フィードバック工程８２）（図８及び図１１参照）。
【００６８】
次に、スルーレート切替回路１は、フィードバックされた画素２１内の有機ＥＬ素子を流れる電流に比例した電圧（フィードバック電圧）の値と目標電圧（画像信号電圧）の値との差が、所定値αの範囲内にあるか否かを判断する（判断工程８５）（図５、図８及び図１１参照）。
【００６９】
このような判断工程８５において、スルーレート切替回路１のＯＲ回路１３が、フィードバックされた画素２１内の有機ＥＬ素子を流れる電流に比例した電圧（フィードバック電圧）の値と目標電圧（画像信号電圧）の値との差が所定値αの範囲内にあると判断するまで、上述した電圧印加工程８１、フィードバック工程８２及び判断工程８５が順次行われる（図５及び図８参照）。
【００７０】
そして、判断工程８５において、スルーレート切替回路１のＯＲ回路１３が、フィードバックされた画素２１内の有機ＥＬ素子を流れる電流に比例した電圧（フィードバック電圧）の値と目標電圧（画像信号電圧）の値との差が所定値αの範囲内にあると判断すると、当該ＯＲ回路１３からの信号に基づいて、比較増幅回路２が画素２１に印加する電圧のスルーレートを切り替える（スルーレート切替工程９０）（図２、図６、図８及び図１１参照）。
【００７１】
具体的には、比較増幅回路２の補助コンデンサ４５に接続されたスイッチ４６を入れて、位相補償容量を増加させることによって、ＳＲ＝Ｉ１／Ｃ１（式４）であったスルーレートを、ＳＲ＝Ｉ１／（Ｃ１＋Ｃ２）（式５）に切り替えて、遅くする（図６、図８、図１１及び図１２参照）。
【００７２】
次に、比較増幅回路２は、このように遅くなったスルーレート（ＳＲ＝Ｉ１／（Ｃ１＋Ｃ２））で、目標電圧入力部９から入力される目標電圧（画像信号電圧）と、後述のようにカレントミラー回路６からフィードバックされる各画素２１内の有機ＥＬ素子を流れる電流に比例した電圧とに基づいて、各画素２１内の有機ＥＬ素子を流れる電流が目標電流値に近づけるよう、各画素２１に電圧を印加する（低速電圧印加工程（切替電圧印加工程）９１）（図６、図８及び図１１参照）。
【００７３】
次に、画素２１内の有機ＥＬ素子を流れる電流に比例した電圧の値が、カレントミラー回路６を介して、画素２１に接続された比較増幅回路２と、比較増幅回路２に接続されたスルーレート切替回路１に、フィードバックされる（低速フィードバック工程（切替フィードバック工程）９２）（図８及び図１１参照）。
【００７４】
後は、各画素２１内の有機ＥＬ素子を流れる電流が目標電流になるまで、上述した低速電圧印加工程９１及び低速フィードバック工程９２を繰り返し行う（図１１参照）。
【００７５】
このように、比較増幅回路２が、遅くなったスルーレート（ＳＲ＝Ｉ１／（Ｃ１＋Ｃ２））によって、目標電圧入力部９から入力される目標電圧（画像信号電圧）と、フィードバック回路５からフィードバックされる各画素２１内の有機ＥＬ素子を流れる電流に比例した電圧（フィードバック電圧）とに基づいて、各画素２１内の有機ＥＬ素子を流れる電流が目標電流に近づけるよう、各画素２１に電圧を印加する。このため、各画素２１内の有機ＥＬ素子を流れる電流を、効率よくかつ迅速に、目標電流に近づけることができる。
【図面の簡単な説明】
【００７６】
【図１】本発明による有機ＥＬ表示装置の第１の実施の形態を示す構成図。
【図２】本発明による有機ＥＬ表示装置の第１の実施の形態において、スルーレート切替回路を具体的に示す構成図。
【図３】本発明による有機ＥＬ表示装置の第１の実施の形態において、比較増幅回路の出力電流が変化可能であることを示す構成図。
【図４】本発明による有機ＥＬ表示装置の第１の実施の形態において、比較増幅回路を具体的に示す構成図。
【図５】本発明による有機ＥＬ表示装置の第１の実施の形態において、スルーレートを切り替える場合を、フィードバック電圧と目標電圧の関係を用いて示す概略図
【図６】本発明による有機ＥＬ表示装置の第１の実施の形態において、画素に加えられる電圧と、時間との関係を示したグラフ図。
【図７】一般的な比較増幅回路を具体的に示す構成図。
【図８】本発明の第１の実施の形態における有機ＥＬ駆動方法を示すフロー図。
【図９】本発明による有機ＥＬ表示装置の第１の実施の形態の変形例を示す構成図。
【図１０】本発明の第１の実施の形態における画素の回路図。
【図１１】本発明による有機ＥＬ表示装置の第２の実施の形態において、比較増幅回路の位相補償容量が変化可能であることを示す構成図。
【図１２】本発明による有機ＥＬ表示装置の第２の実施の形態において、比較増幅回路を具体的に示す構成図。
【図１３】従来の有機ＥＬ表示装置を示す構成図。
【図１４】従来の有機ＥＬ表示装置において、画素に加えられる電圧と、時間との関係を示したグラフ図。
【符号の説明】
【００７７】
１    スルーレート切替回路
２    比較増幅回路
５    フィードバック回路
６    カレントミラー回路
６ｒ  抵抗
９    目標電圧入力部
１１  一方のコンパレータ
１２  他方のコンパレータ
１３  ＯＲ回路
１６  第一電源
１７  第二電源
２１  画素
３５  補助定電流源
４５  補助コンデンサ
８１  電圧印加工程
８２  フィードバック工程
８５  判断工程
９０  スルーレート切替工程
９１  低速電圧印加工程（切替電圧印加工程）
９２  低速フィードバック工程（切替フィードバック工程）
ＣＳ  電圧保持用コンデンサ
Ｔ    電流制御用薄膜トランジスタ
Ｔ１  第１の画素選択用薄膜トランジスタ
Ｔ２  第２の画素選択用薄膜トランジスタ
Ｔ３  第３の画素選択用薄膜トランジスタ
【図１】
2008015178.tif 000003
【図２】
2008015178.tif 000004
【図３】
2008015178.tif 000005
【図４】
2008015178.tif 000006
【図５】
2008015178.tif 000007
【図６】
2008015178.tif 000008
【図７】
2008015178.tif 000009
【図８】
2008015178.tif 000010
【図９】
2008015178.tif 000011
【図１０】
2008015178.tif 000012
【図１１】
2008015178.tif 000013
【図１２】
2008015178.tif 000014
【図１３】
2008015178.tif 000015
【図１４】
2008015178.tif 000016